(57)【要約】      （修正有）【課題】高い顔料比率、および長期間安定な顔料組成物を提供する。【解決手段】少なくとも１種の顔料および４０、０００ｇ／ｍｏｌ未満の重量平均分子量を有するポリビニルピロリドンを含む水性分散体。該ポリビニルピロリドンが、１０、０００ｇ／ｍｏｌ以下の重量平均分子量を有する水性分散体。該粒子の少なくとも９０％が、レーザー粒径分析器を用いて測定して、１００ｎｍ超のサイズを有する水性分散体。該粒子の少なくとも９８％が、レーザー粒径分析器を用いて測定して、１００ｎｍ超のサイズをする水性分散体。【選択図】図１
2012097259.tif 000002
【特許請求の範囲】
【請求項１】
少なくとも１種の顔料と、４０、０００ｇ／ｍｏｌ未満の重量平均分子量を有するポリビニルピロリドンとを含む水性分散体。
【請求項２】
該ポリビニルピロリドンが、１０、０００ｇ／ｍｏｌ以下の重量平均分子量を有する、請求項１に記載の水性分散体。
【請求項３】
４０、０００ｇ／ｍｏｌ未満の重量平均分子量を有するポリビニルピロリドンの重量の該顔料の重量に対する比率が、５〜４０％である、請求項１または２に記載の水性分散体。
【請求項４】
該粒子の少なくとも９０％が、レーザー粒径分析器を用いて測定して、１００ｎｍ超のサイズを有する、請求項１〜３のいずれか一項に記載の水性分散体。
【請求項５】
該粒子の少なくとも９８％が、レーザー粒径分析器を用いて測定して、１００ｎｍ超のサイズをする、請求項４に記載の水性分散体。
【請求項６】
該顔料が、二酸化チタン、二酸化亜鉛、酸化ジルコニウムまたは酸化セリウム、酸化鉄または酸化クロム、マンガンバイオレット、ウルトラマリンブルー、水酸化クロムおよびフェリックブルーおよびそれらの混合物から選択される無機顔料である、請求項１〜５のいずれか一項に記載の水性分散体。
【請求項７】
該顔料が、Ｄ＆Ｃ  ｂｌａｃｋ  ｎｏ．２等のカーボンブラック、Ｄ＆Ｃ  Ｒｅｄ  ｎｏ．６、ｎｏ．７．ｎｏ．２１、ｎｏ．２７、ｎｏ．２８、ｎｏ．３０、ｎｏ．３３、ｎｏ．３６、ｎｏ．４０およびコチニールカルミン等の赤色有機顔料、銅フタロシアニンおよびＦＤ＆Ｃ  Ｂｌｕｅ  ｎｏ．１  ラッカー等の青色有機顔料、およびＤ＆Ｃ  Ｙｅｌｌｏｗ  ｎｏ．１０、ＦＤ＆Ｃ  Ｙｅｌｌｏｗ  ｎｏ．５および６ラッカー等の黄色有機顔料、ならびにそれらの混合物から選択される有機顔料である、請求項１〜５のいずれか一項に記載の水性分散体。
【請求項８】
該顔料が、高構造カーボンブラックおよび／または２００ｍ２／ｇ超の比表面積を有するカーボンブラックである、請求項７に記載の水性分散体。
【請求項９】
少なくとも２つのヒドロキシル官能基を含み、好ましくはエチレンオキサイド基を有さない、化合物をさらに含む、請求項１〜８のいずれか一項に記載の水性分散体。
【請求項１０】
該化合物が、ポリオール、好ましくはグリセリンである、請求項９に記載の水性分散体。
【請求項１１】
水性分散体の全量に基づいて、少なくとも２１ｗｔ％、とりわけ少なくとも２４ｗｔ％の顔料を含む、請求項１〜１０のいずれか一項に記載の水性分散体。
【請求項１２】
水の存在下で、少なくとも１種の顔料と、４０、０００ｇ／ｍｏｌ未満の重量平均分子量を有するポリビニルピロリドンとの混合物を、ボールミル中でミリングするステップを含む、請求項１〜１１のいずれか一項に記載の水性分散体の調製方法。
【請求項１３】
請求項１〜１１のいずれか一項による水性分散体、または化粧品組成物に導入するための請求項１２に記載の方法により入手できる水性分散体の使用。
【発明の詳細な説明】
【技術分野】
【０００１】
本発明は、顔料の水性分散体およびその化粧品の使用に関する。
【背景技術】
【０００２】
多くの化粧品組成物は、分離状態で分散した固体、典型的には顔料を含む。顔料が、化粧品組成物中で均質に分散していればいる程、そして高い比率で存在すればする程、化粧品組成物の色は均質かつ強くなる。
【発明の概要】
【発明が解決しようとする課題】
【０００３】
本発明の目的の一つは、化粧品において使用でき、高い顔料比率、通常２１ｗｔ％以上を含み、そして長期間安定な顔料組成物を提供することである。
【課題を解決するための手段】
【０００４】
本発明の顔料組成物は、顔料の水性分散体である。本願の意味において、水性分散体（または水性懸濁液）は、固体粒子が分散した、連続した水媒体である。この水媒体は、典型的には少なくとも４０％、好ましくは少なくとも５０％の水を含む水溶液、例えば（Ｈ２ＣＯ３／ＨＣＯ３−対によって形成された生理的バッファー溶液等の）バッファー溶液、好ましくは水である。
【図面の簡単な説明】
【０００５】
【図１】図１は、例１の粒径プロファイルを具体的に示す図である。
【図２】図２は、例２の粒径プロファイルを具体的に示す図である。
【図３】図３は、例３の粒径プロファイルを具体的に示す図である。
【発明を実施するための形態】
【０００６】
本明細書において、５〜４５℃からなる温度で、通常少なくとも２カ月、好ましくは少なくとも６カ月の間保持することができ、一方残りが均質である、すなわち、粒子が相互に凝集せず、そして沈降しない（肉眼的に観察可能な沈降または分散体の移相（ｐｈａｓｅ  ｓｈｉｆｔｉｎｇ）がない）場合、水性分散体は、長期間安定と考えられる。
【０００７】
従って、第１の形態によると、本発明の目的は、少なくとも１種の顔料と、４０、０００ｇ／ｍｏｌ未満の重量平均分子量を有するポリビニルピロリドンとを含む水性分散体である。
【０００８】
発明者らは、４０、０００ｇ／ｍｏｌ未満の重量平均分子量を有するポリビニルピロリドン（ＰＶＰ）の使用が、安定でありながら、大量の顔料を含む顔料の水性分散体を得る可能性を与えることを見いだした。
【０００９】
理論に拘束されることを意図しないが、４０、０００ｇ／ｍｏｌ未満の重量平均分子量を有するＰＶＰを使用することによって、より大きな分子量のＰＶＰ（例えば、６０、０００ｇ／ｍｏｌの重量平均分子量を有するＰＶＰ  Ｋ３０）が使用される場合より、粘性のない分散体を得ることが可能であり、本発明による水性分散体中での顔料の濃度の増加を可能にすることが、提案できるようである。従って、通常、水性分散体は、水性分散体の全量に基づいて、少なくとも２１ｗｔ％（典型的には、２１〜３５％）、とりわけ少なくとも２４ｗｔ％（典型的には、２４〜３０％）の顔料を含む。
【００１０】
好ましくは、ＰＶＰは、２０、０００ｇ／ｍｏｌ以下、とりわけ１００００ｇ／ｍｏｌ以下、そして典型的には、有利に市場から入手可能なＰＶＰ  Ｋ１５等の８、０００ｇ／ｍｏｌ程度の重量平均分子量を有する。
【００１１】
通常、水性分散体は、水性分散体の全量に基づいて、１〜２０ｗｔ％、とりわけ３〜１０％の４０、０００ｇ／ｍｏｌ未満の重量平均分子量を有するポリビニルピロリドンを含む。これらの比率は、安定でありながら、大量の顔料を含む顔料の水性分散体を得るのに特に好適である。
【００１２】
典型的には、本発明による水性分散体において、４０、０００ｇ／ｍｏｌ未満の重量平均分子量を有するポリビニルピロリドンの重量の顔料の重量に対する比率は、５〜４０％である。これらの比率は、安定でありながら、大量の顔料を含む顔料の水性分散体を得るのに特に好適である。
【００１３】
分散体の顔料は、有機顔料または無機顔料であることができる。
無機顔料は、例えば、任意選択的に表面処理された二酸化チタン、二酸化亜鉛、酸化ジルコニウムまたは酸化セリウム、ならびに酸化鉄または酸化クロム、マンガンバイオレット（ｍａｎｇａｎｅｓｅ  ｖｉｏｌｅｔ）、ウルトラマリンブルー（ｕｌｔｒａｍａｒｉｎｅ  ｂｌｕｅ）、水酸化クロムおよびフェリックブルー（ｆｅｒｒｉｃ  ｂｌｕｅ）、およびそれらの混合物から選択できる。
【００１４】
有機顔料は、例えば、Ｄ＆Ｃ  ｂｌａｃｋ  ｎｏ．２等のカーボンブラック、Ｄ＆Ｃ  Ｒｅｄ  ｎｏ．６、ｎｏ．７、ｎｏ．２１、ｎｏ．２７、ｎｏ．２８、ｎｏ．３０、ｎｏ．３３、ｎｏ．３６、ｎｏ．４０、およびコチニールカルミン（ｃｏｃｈｉｎｅａｌ  ｃａｒｍｉｎｅ）等の赤色有機顔料、銅フタロシアニンおよびＦＤ＆Ｃ  Ｂｌｕｅ  ｎｏ．１ラッカー等の青色有機顔料、およびＤ＆Ｃ  Ｙｅｌｌｏｗ  ｎｏ．１０、ＦＤ＆Ｃ  Ｙｅｌｌｏｗ  ｎｏ．５およびｎｏ．６ラッカー等の黄色有機顔料ならびにそれらの混合物から選択できる。
【００１５】
カーボンブラックは、本発明による水性分散体の適用のために特に好適な顔料である。カーボンブラックは、とりわけ、高構造（ｈｉｇｈ  ｓｔｒｕｃｔｕｒｅ）カーボンブラック、および／または２００ｍ２／ｇ超の比表面積を有するカーボンブラックであることができる。
【００１６】
異なった販売されるグレードのカーボンブラックを規定する主な基礎的なパラメーターは、一次粒子のサイズ、および集合したまたは凝集した一次粒子のサイズ（粉末、構造の細かさ）およびその比表面積である。
【００１７】
カーボンブラックの構造は、フタル酸ジブチル（ＤＢＰ）の吸収によって決定される。１００ｇのカーボンブラックによって吸収されたＤＢＰの量が、ＡＳＴＭ  Ｄ−２４１４法によって決定される。従って、低ＤＢＰインデックスを有するカーボンブラックは、ぎっしり詰まった様式で結合した、少数の一次粒子からなる低構造を有する。典型的には、販売されているカーボンブラックは、１００ｇのカーボンブラックに対して４５〜４００ｍＬを含むＤＢＰ吸収インデックスを有する。高いＤＢＰインデックス、典型的には９０ｍＬ／１００ｇ超は、豊富な分岐、枝、鎖またはストリングを有する多くの基本的な粒子（ｅｌｅｍｅｎｔａｒｙ  ｐａｒｔｉｃｌｅ）からなる高構造のカーボンブラックを意味する。
【００１８】
カーボンブラックの比表面積は、窒素吸着（ＢＥＴ法）によって決定できる。カーボンブラックの比表面積は、通常、粗いサイズの粒子での１０ｍ２．ｇ−１〜微粒子での５００ｍ２．ｇ−１からなる。水性分散体中で顔料として使用されるカーボンブラックは、好ましくは２００ｍ２／ｇ超の比表面積を有する。
【００１９】
ＰＶＰおよび顔料に加えて、水性分散体は、少なくとも２つのヒドロキシル官能基を含み、かつ好ましくはエチレンオキサイド基を有さない化合物を含むことができる。
【００２０】
この化合物を用いると、水性分散体の安定性を改善することができる。
【００２１】
化合物には、好ましくは式−ＣＨ２−ＣＨ２−Ｏのエチレンオキサイド基、特にポリ（エチレンオキサイド）基がない。実際、エチレンオキサイドの合成の間に、発癌性物質的な効果を有する疑いがある１、４−ジオキサンが生成される。従って、エチレンオキサイド基を含む化合物は、少なくとも微量の１、４−ジオキサンを含む場合があり、そして化粧品組成物中で、それらの使用を制限または回避さえすることが求められている。
【００２２】
２つのヒドロキシル官能基を含む化合物は、とりわけ、１、２、３−プロパントリオール（グリセリン）、１、２−プロパンジオール、ピナコール（２、３−ジメチル−２、３−ブタンジオール）、１、２、３−ブタントリオール、２、３−ブタンジオールおよびソルビトール等のポリオールであることができる。グリセリンは、その水和性および抗菌性により、特に好ましい。
【００２３】
水性分散体は、通常、水性分散体の全量に基づいて、５〜４５ｗｔ％、典型的には２０〜４０ｗｔ％の少なくとも２つのヒドロキシル官能基を含む化合物を含み、これは通常、水性分散体の連続的な水媒体が水溶液（とりわけ水）と、少なくとも２つのヒドロキシル官能基を含む化合物（とりわけグリセリン）とが４０／６０〜６０／４０、好ましくは５０／５０の混合物であることに相当する。これらの比は、安定でありながら、大量の顔料を含む顔料の水性分散体を得るのに特に好適である。
【００２４】
水性分散体はまた、防腐剤、例えば２−フェノキシエタノールまたはデヒドロ酢酸を含むことができる。他方では、防腐剤としてパラベンおよび／またはその誘導体の使用は、エストロゲンの受容体のそれらの能力を活性化し、不妊およびエストロゲン依存性腫瘍の可能性のある作用を引き起こすので、通常、避けられる。
【００２５】
ある態様では、この水性分散体は、
−水媒体、通常、水溶液、典型的には水、
−少なくとも１種の顔料、とりわけカーボンブラック、好ましくは高構造カーボンブラック、および／または２００ｍ２／ｇ超の比表面積を有するカーボンブラック、
−４０、０００ｇ／ｍｏｌ未満の重量平均分子量を有するポリビニルピロリドン、
−グリセリン、
−任意選択的に２−フェノキシエタノールまたはデヒドロ酢酸等の防腐剤
にある。
【００２６】
水性分散体は、例えば保湿剤、柔軟化粧水、可塑剤、シリコーン、鉱物性フィラー、クレイ、香水、ペプタイザー、防腐剤、タンパク質およびビタミン、油および／または天然抽出物等の現在の所技術的に使用されている１種または２種以上の化粧品添加物をまた含むことができる。通常、水性分散体には、イオン性界面活性剤がない。
【００２７】
水性分散体の粒子は、通常レーザー粒径分析器を用いて測定して、２００ｎｍ超、典型的には４００ｎｍ以上のメジアンサイズ（Ｄ５０）を有する。典型的には、粒子の少なくとも９０％、とりわけ９５％、好ましくは９８％、またはすべてまでのものは、レーザー粒径分析器を用いて測定して、１００ｎｍ超のサイズを有する。この水性分散体には、したがってナノ粒子が主としてなく、細菌の研究は、ナノ粒子、特に化粧品組成物中で使用された場合、とりわけ皮膚に適用された場合のナノ粒子の毒性の疑いを調べているので、これは利点である。従って、本発明による水性分散体は、通常、（典型的には２〜１００ｎｍの範囲の寸法である粒子を含む）コロイド組成物ではない。
【００２８】
さらに、この水性分散体の粒子は、通常レーザー粒径分析器を用いて測定して、５００μｍ未満、または１００μｍ未満までものメジアンサイズ（Ｄ５０）を有する。実際、そうした粒子では、沈降現象が制限され、または避けられまでもし、そして水性分散体を含む化粧品組成物は、触り心地が良い。
【００２９】
好ましい態様では、水性分散体は、
−２３〜２５ｗｔ％のカーボンブラック、
−４〜７ｗｔ％のＰＶＰ  Ｋ１５、
−３０〜４０ｗｔ％の水、
−３０〜４０ｗｔ％のグリセリン、
を含む。
【００３０】
特に好ましい態様では、水性分散体は、
−２３〜２５ｗｔ％のカーボンブラック、
−４〜７ｗｔ％のＰＶＰ  Ｋ１５、
−３０〜４０ｗｔ％の水、
−３０〜４０ｗｔ％のグリセリン、
−０．１〜１．５ｗｔ％のフェノキシエタノール、および
−０．１〜１．５ｗｔ％のデヒドロ酢酸、
（これらのパーセンテージの合計は、１００に等しい。）
にある。
【００３１】
そうした水性分散体を含む化粧品組成物は、適用された場合、とりわけケラチン繊維上に適用された場合に、強い着色を得る可能性を実際に与える。
【００３２】
第２の形態により、本発明の目的は、上記で規定したような水性分散体を調製するための方法であり、少なくとも１種の顔料と、４０、０００ｇ／ｍｏｌ未満の重量平均分子量を有するポリビニルピロリドンとの混合物を水の存在下で、ボールミルでミリングするためのステップを含む。
【００３３】
水性分散体の他の任意選択的成分はまた、上記の様に、ミリングステップの間に存在することができる。成分の追加の順番は、得られた分散体の性質に影響せず、そして特に得られた分散体の粒子のサイズに全く影響しない。
【００３４】
好ましくは、ボールミルの球は、１００μｍ超、通常１〜１０ｍｍ、典型的には約４ｍｍを含む直径を有し、水性分散体中で、上記のような利点を有する１００ｎｍ超、または１μｍ超までものメジアンサイズ（Ｄ５０）の粒子を得ることに寄与する。
【００３５】
ミリング時間はまた、粒子のサイズに影響する。典型的には、この時間が長すぎる場合、避けたいものの一つであるナノメートルサイズの粒子が得られる。最大のミリング時間は、顔料の性質による。当業者は、顔料の性質によって所望の粒径を有させるために、ミリング時間をどのように適合すべきか知っている。
【００３６】
この方法には、通常冷凍乾燥ステップがない。
本発明はまた、この方法を用いて入手できる水性分散体に関する。
【００３７】
第３の形態により、本発明の目的は、化粧品組成物中へ導入するための（または化粧品組成物を調製するための）上記で規定したような水性分散体または上記の方法を用いて入手できる水性分散体の使用である。化粧品組成物は、例えば、シャンプー、ヘアーコンディショナー、コンディショナー（ヘアーコンディショナーバーム）、アイライナー、マスカラ、ファンデーション、アイシャドー、はけまたは口紅、好ましくはシャンプー、ヘアーコンディショナー、コンディショナーまたはマスカラであることができる。
【００３８】
化粧品組成物は、通常、水相および脂質相を含む。本発明はまた、上記で規定したような水性分散体または上記の方法を用いて入手できる水性分散体を、化粧品組成物の水相に導入するステップ、続いて得られた水相（すなわち、上記で規定した水性分散体を有する化粧品組成物の水相の混合物）と、化粧品組成物の脂質相とを混合するステップを含む、化粧品組成物の調製のための方法に関する。この組成物は、着色髪およびまつげ等のケラチン繊維の着色に特に好適である。
【００３９】
理論に拘束されることを意図しないが、上記で規定したような粒子の具体的サイズおよび４０、０００ｇ／ｍｏｌ未満の重量平均分子量を有するポリビニルピロリドンの存在は、ケラチン繊維上への顔料の堆積および接着を促進し、非常に良好な着色となるようである。特に、発明者らは、ケラチン繊維上に適用された、ＰＶＰを有さないか、および／またはより小さい粒径（ナノメーターサイズ）を有する化粧品組成物は、ケラチン繊維のより有意でない着色となることを観察した。
【００４０】
化粧品組成物は、任意の形態（軟膏、ローション、クリーム、ゲル、スプレー）であってもよい。
【００４１】
第４の形態により、本発明の目的は、上記で規定したような水性分散体を含む組成物、好ましくは化粧品組成物である。
【００４２】
第５の形態によれば、本発明の目的は、組成物の顔料の比率を高めるための、顔料を含む水性分散体を含む化粧品組成物中における、添加物として４０、０００ｇ／ｍｏｌ未満の重量平均分子量を有するポリビニルピロリドンの使用である。
【００４３】
本発明は、本明細書に添付された図１、２および３を参照して与えられた以下の例を用いて、さらに具体的に説明され、これは、例Ａ−１、Ａ−２およびＡ−３それぞれの粒径プロファイル（粒子のパーセンテージ対マイクロメートルでの粒子の直径）を具体的に示す。
【実施例】
【００４４】
例Ａ：水性分散体
＊水性分散体を調製するための方法
グリセリン（Ｉｎｔｅｒｃｈｉｍｉｅ（商標））をＣＯＭＥＣ（商標）ブランドの４ｍｍの直径および１８００回転／分の最大のミリング速度を有するボールの垂直ボールミル中に導入した。１５％の顔料  Ｕｎｉｐｕｒｅ  Ｂｌａｃｋ  ＬＣ９０２（Ｓｅｎｓｉｅｎｔ  Ｃｏｓｍｅｔｉｃ  Ｔｅｃｈｎｏｌｏｇｉｅｓ（商標））（１００ｍＬ／１００ｇのＤＢＰインデックスを有する高構造カーボンブラック）を、次に加えた。粉砕機中でのホモジナイゼーションの後、水、ＰＶＰおよび防腐剤（フェノキシエタノール（Ｐｈｅｎｏｘｅｔｏｌ−Ｃｌａｒｉａｎｔ（商標））および／またはデヒドロ酢酸（Ｇｅｏｇｕａｒｄ  １１１Ａ−Ｌｏｎｚａ（商標）））を混合物に加えた。残りの８５％の顔料を次に加えた。仕上げのために、混合物を１５分間最大の速度で粉砕した。
【００４５】
５種の水性分散体をこの方法の後に調製した。
例１、２および３は、（８、０００ｇ／ｍｏｌの重量平均分子量を有する）ＰＶＰ  Ｋ１５  （ＩＳＰ（商標））を含む本発明による水性分散体の例である。
【００４６】
例４および５は、より大きな分子量（６０、０００ｇ／ｍｏｌの重量平均分子量を有するＰＶＰ  Ｋ３０）（ＩＳＰ（商標））のＰＶＰを使用した比較例である。
【００４７】
＊水性分散体の安定性を評価するための、粘度の特性評価および粒径の特性評価。
【００４８】
Ｂｒｏｏｋｆｉｅｌｄ  ＤＶ−ＩＩ＋Ｐｒｏ（商標）ブランドの粘度計および好適なモバイル（ｍｏｂｉｌｅ）を用いて、粘度を測定した。
【００４９】
粒径を、ＨＯＲＩＢＡ  ＰＡＲＴＩＣＡ  ＬＡ−９５０  Ｖ２（商標）タイプの装置を用いて、Ｍｉｅの理論によりレーザー回折で測定した。添付の図１、２および３は、例１、２および３の粒径（粒子のパーセンテージ対マイクロメートルでの粒子の直径）、それぞれを具体的に示す。
【００５０】
分散体の粒子サイズおよびその粘度が長い間一定のままである場合、安定性が良好であると考える。
【００５１】
【表１】
2012097259.tif 000003
表１：調製された水性分散体の組成および特徴的な粘度および粒径。
【００５２】
ｉ）：測定可能でない粘度（＞５０、０００、０００ｃＰ）を達成するための分散体のケーキ。
ｉｉ）：１５日、室温（２５℃）後の粒子のサイズは、１００μｍより大きいサイズで凝集の発生により、５．１５μｍ（ｔ＝０）から、１２．２３μｍに変化した。
【００５３】
本発明による水性分散体１、２および３と、４０、０００ｇ／ｍｏｌ超の重量平均分子量を有するＰＶＰを含む水性分散体４および５との比較は、本発明による水性分散体は、より粘性がないことを示す。４０、０００ｇ／ｍｏｌの重量平均分子量を有するＰＶＰが使用される場合、３０％のカーボンブラックを含む安定な水性分散体を調製することが可能であり、４０、０００ｇ／ｍｏｌ超の重量平均分子量を有するＰＶＰが使用される場合、当てはまらない（例２と５とを比較）。
【００５４】
さらに、本発明による３種の組成物において、９８％超の粒子は、１００ｎｍ超のサイズを有する。
【００５５】
例Ｂ：水性分散体を含む化粧品組成物
以下の例は、本発明による水性分散体を含む化粧品組成物に関する。
【００５６】
Ｂ．１．「黒色反射（ｂｌａｃｋ  ｒｅｆｌｅｃｔｉｏｎｓ）」を有するヘアーコンディショナーケア製品
例Ａの例３の分散体を使用することによって、ならびに下記の調合物および操作手順により、２種のヘアーケア製品を製造した。
【００５７】
【表２】
2012097259.tif 000004
表２：２種のヘアーケア製品の組成
【００５８】
操作手順は、以下のようである：
１．相Ａの７０〜８０℃へ加熱すること。
２．Ｂの７０〜８０℃へ加熱すること。
３．相Ｂを相Ａ中に注ぎ、そして均質のエマルジョンを得るように攪拌すること。
４．相Ｃを加え、そして室温に到達するまで混合すること。
【００５９】
これらの２種のコンディショナーケアー製品の１種を漂白した髪に適用し、そして次にすすいだ場合、黒色顔料が髪の上に堆積した。したがって髪は適用後に強く黒色に着色した。
【００６０】
Ｂ．２．「黒色反射」を有するシャンプー
例Ａの例３の分散体を使用することによって、ならびに下記の調合物および操作手順により、２種のシャンプーを製造した。
【００６１】
【表３】
2012097259.tif 000005
表３：２種のシャンプーの組成
【００６２】
操作手順は、以下のようである：
１．相Ａの異なる成分を均質の混合物が得られるまで混合すること。
２．相Ｂを調製し、そして相Ａ中に注ぐこと。
３．相Ｃを加えて、混合すること。
４．相Ｄを加え、均質化させること。
【００６３】
これらの２種のシャンプーの１種を髪に適用し、そして次にすすいだ場合、黒色顔料が髪の上に堆積した。したがって髪は適用後に強く黒色に着色した。
【００６４】
Ｂ．３．アイライナー
例Ａの例３の分散体を使用することによって、ならびに下記の調合物および操作手順により、２種のアイライナーを製造した：
【００６５】
【表４】
2012097259.tif 000006
表４：２種のアイライナーの組成
【００６６】
操作手順は、以下のようである：
１．モノプロピレングリコール中でＴｈｉｃｋａｇｅｎｔ  ＬＣを混合すること。
２．均質のゲルを得るように、この混合物を、防腐剤を含む水中に攪拌しながら注ぐこと。
３．相Ｂを攪拌しながら加えて。適切に混合させること。
４．相Ｃを加えて。均質化すること。
【００６７】
これらの２種のシャンプーの１種をまつげに適用した場合、黒色顔料がまつげの上に堆積し、まつげの強い黒色の着色となった。
【図１】
2012097259.tif 000007
【図２】
2012097259.tif 000008
【図３】
2012097259.tif 000009
【外国語明細書】
2012097259000001.pdf